(57)【特許請求の範囲】
【請求項１】
ＶＣＸＯからの発振出力とＰＬＬループを構成するＶＣＯからの発振出力とを位相比較し、チャージポンプを介して位相比較出力をループフィルタに供給し、ループフィルタの出力を周波数制御電圧として前記ＶＣＯの発振周波数を制御すると共に、前記ＶＣＸＯおよび前記ＶＣＯに矩形波で変調をかけてＦＭ変調するＦＭ変調回路において、ＶＣＸＯおよびＶＣＯのそれぞれにレベルのみが異なり位相および波形が同一の矩形波を各別に同時に出力する制御手段を備えたことを特徴とするＦＭ変調回路。
【請求項２】
請求項１記載のＦＭ変調回路において、制御手段は位相および波形が同一でかつＰＬＬループの動作周波数に基づいて互いにレベルの異なる矩形波を出力することを特徴とするＦＭ変調回路。
【発明の詳細な説明】
【０００１】
【発明の属する技術分野】
本発明はＦＭ変調回路に関し、さらに詳細には受信側のスケルチ回路を開いて受信可能状態に制御するために無線通信機の送信開始時に送出する信号の変調に利用できるＦＭ変調回路に関する。
【０００２】
【従来の技術】
受信側のスケルチ回路を開いて受信可能状態に制御するために無線通信機の送信開始時にあらかじめ定めた信号を変調して送出する方式として、ＥＩＡ（Ｅｌｅｃｔｒｏｎｉｃ  Ｉｎｄｕｓｔｒｉｅｓ  Ａｓｓｏｃｉａｔｉｏｎ）によって規定されているＣＤＣＳＳ（Ｃｏｎｔｉｎｕｏｕｓ  Ｄｉｇｉｔａｌ−Ｃｏｎｔｒｏｌｌｅｄ−Ｓｑｕｅｌｃｈ−Ｓｙｓｔｅｍ）方式が知られている。
【０００３】
この方式は、送信側で送信中、押圧されるいわゆるＰＴＴ（Ｐｕｓｈ  Ｔｏ  Ｔａｌｋ）スイッチが押圧されたとき送信開始と同時に所定ビット数の予め定めたデジタルデータの信号でＦＭ変調して送出し、受信側では復調した受信データをデコードして設定されているデコードデータと一致したときスケルチ回路を開いて交信可能の状態にするものである。
【０００４】
このＦＭ変調回路にはＰＬＬループが使用される。その一例を図２に示す。ＰＬＬループを用いた図２のＦＭ変調回路では、例えば、高電位信号に基づいてＶＣＯの発振周波数から特定の周波数の発振をさせ、低電位信号に基づいてＶＣＯの発振周波数を他の特定の周波数の発振をさせて、ＦＳＫ変調を行っている。
【０００５】
この場合に、マイクロコンピュータなどからなる制御回路１ＡのＤ／Ａ変換出力端子から出力される矩形波のアナログ変換信号を波形整形フィルタ２に供給して波形整形し、波形整形されたアナログ変換信号を変調入力としてＶＣＸＯ４に印加して変調すると共に、波形整形されたアナログ変換信号を電子ボリューム３に供給してそのレベルを制御回路１からの出力に基づいて制御し、電子ボリュームからの出力をＶＣＯ５に変調入力として印加して変調し、ＶＣＸＯ４の発振出力とＶＣＯ５の発振出力を位相比較器６にて位相比較し、位相比較出力をチャージポンプ７を介してループフィルタ８に供給して平滑化し、ループフィルタ８の出力を周波数制御電圧としてＶＣＯ５に印加してＶＣＯ５の発振周波数を制御することが行われる。
【０００６】
これは、制御回路１Ａから出力されるアナログ変換信号は図３（ａ）に示すように矩形波の信号であり、直流成分から高い周波数成分の信号まで含んでいる。例えば直流に近い低い周波数成分の応答がないＦＭ変調回路で変調すると図３（ｂ）に示すように崩れた変調になるためであって、このような矩形波を変調するためのＦＭ変調回路は、直流付近から数ｋＨｚまで変調をかける必要がある。このためにＶＣＸＯ４およびＶＣＯ５の双方に変調をかけている。
【０００７】
しかるに、このようにＶＣＸＯ４およびＶＣＯ５に同時にレベルのみが異なり位相も波形も同一の矩形波で変調をかけることにより、乱れのないＦＳＫ変調が行える。逆に、このようにしないとＦＳＫ変調された矩形波を復調すると、その波形は図３（ａ）に示す波形ではなく図３（ｂ）に示す波形となってしまう。
【０００８】
次に、ＶＣＸＯ４側およびＶＣＯ５側の変調について説明する。ＰＬＬループはループの特性上、ＶＣＯ５はＰＬＬループにおけるループフィルタ８のカットオフ周波数ｆｎよりも高い周波数の信号を変調し、ＶＣＸＯ４は周波数ｆｎよりも低い周波数の信号を変調している。
【０００９】
ＰＬＬループのカットオフ周波数はループフィルタ８によって定まる。まず、ＶＣＯ５側の変調について説明する。ＰＬＬループのカットオフ周波数に応じてＶＣＯ５の変調特性が変化し、ＰＬＬループのカットオフ周波数よりも高い周波数ではＰＬＬループは応答せず、ループフィルタ８の出力電圧は変化せずＶＣＯ５の周波数が変化しないために、ＰＬＬループのカットオフ周波数よりも高い周波数のアナログ変換信号によってＶＣＯ５に変調がかかる。逆に、ＰＬＬループのカットオフ周波数より低い周波数ではＰＬＬループが応答し、ＶＣＯ５に対してカットオフ周波数より低い周波数のデジタルデータの信号による変調はかからない。
【００１０】
次に、ＶＣＸＯ４側での変調について説明する。ＶＣＸＯ４側での変調周波数特性はＶＣＯ５とは逆に低域側で変調がかかり、高域側では減衰する特性を有しており、ＶＣＯ５と同様にＰＬＬループのカットオフ周波数に応じて変調周波数特性が変化する。ループフィルタ８のカットオフ周波数より低い周波数のデジタルデータの信号によってＶＣＸＯ４に変調がかかるようにしている。
【００１１】
逆に、ＶＣＸＯ４での変調はループフィルタのローパス効果によって、カットオフ周波数以上の変調はかからない。さらに、ＶＣＸＯ４に広範囲な変調をかけると基準であるＶＣＸＯ４の動作が不安定になり基準の役目を果たさないことになるので、変調周波数範囲を狭くすることが望ましいことでもある。
【００１２】
さらに、アナログ変換信号を２系統の変調信号によって変調して、歪みなくきれいに変調するためには、ＶＣＸＯ４の変調度とＶＣＯ５の変調度のバランスを取って、前記したように、ＶＣＸＯ４の変調レベルとＶＣＯ５の変調レベルとを適正にしないときれいに矩形波の変調が行えない。
【００１３】
このために電子ボリューム３によってバランスの調整を行う。このバランス調整はＰＬＬループの動作周波数によって変化させる必要がある。これは、ＰＬＬループのカットオフ周波数の相違、ＰＬＬループの動作周波数によって変化する変調入力インピーダンスによるＶＣＯ５の変調感度の変化、ＶＣＸＯ４の変調感度の変化があるためである。これは、広帯域をカバーするＰＬＬループほど変化が大きい。
【００１４】
このために、電子ボリューム３の抵抗値を制御回路１Ａからの制御データによって設定している。この設定は通常、ＰＬＬループの出力を、直線検波器などによって復調した出力波形をみながら、矩形波のアナログ変換信号がリプル、リンギングなしに矩形波状に変調されるように調整することによって行われる。
【００１５】
【発明が解決しようとする課題】
ここように、従来のＦＭ変調回路によるときは、バランス調整のために電子ボリュームを必要とし、ＰＬＬループの動作周波数毎に電子ボリュームによるバランス調整を必要とし、高価なものになるという問題点があった。
【００１６】
本発明は、電子ボリュームを不要としたＦＭ変調回路を提供することを目的とする。
【００１７】
【課題を解決するための手段】
本発明にかかるＦＭ変調回路は、ＶＣＸＯからの発振出力とＰＬＬループを構成するＶＣＯからの発振出力とを位相比較し、チャージポンプを介して位相比較出力をループフィルタに供給し、ループフィルタの出力を周波数制御電圧として前記ＶＣＯの発振周波数を制御すると共に、前記ＶＣＸＯおよび前記ＶＣＯに矩形波で変調をかけてＦＭ変調するＦＭ変調回路において、ＶＣＸＯおよびＶＣＯのそれぞれにレベルのみが異なり位相および波形が同一の矩形波を各別に同時に出力する制御手段を備えたことを特徴とする。
【００１８】
本発明にかかるＦＭ変調回路によれば、ＶＣＸＯからの発振出力とＰＬＬループを構成するＶＣＯからの発振出力とを位相比較し、チャージポンプを介して位相比較出力をループフィルタに供給し、ループフィルタの出力を周波数制御電圧として前記ＶＣＯの発振周波数を制御すると共に、前記ＶＣＸＯおよび前記ＶＣＯに矩形波で変調をかけてＦＭ変調するＦＭ変調回路において、制御手段によってＶＣＸＯおよびＶＣＯのそれぞれにレベルのみが異なり位相および波形が同一の矩形波を各別に同時に出力され、ＶＣＸＯおよびＶＣＯに変調がかけられる。したがって従来必要とした電子ボリュームが不要となり、かつ乱れのない変調がかけられる。
【００１９】
【発明の実施の形態】
以下、本発明にかかるＦＭ変調回路を実施の形態によって説明する。
【００２０】
図１は本発明の実施の一形態にかかるＦＭ変調回路の構成を示すブロック図である。
【００２１】
本発明の実施の一形態にかかるＦＭ変調回路は、Ｄ／Ａ変換されて互いにレベルのみが異なる同一波形の矩形波のアナログ変換信号を各別に端子３１、３２から出力するマイクロコンピュータからなる制御回路１を備えて、端子３１および端子３２から出力されるそれぞれのアナログ変換信号を波形整形フィルタ２１および２２に各別に供給して波形整形する。
【００２２】
波形整形フィルタ２１において波形整形されたアナログ変換信号はＶＣＸＯ４に印加してＶＣＸＯ４に変調をかけ、波形整形フィルタ２２において波形整形されたアナログ変換信号はＶＣＯ５に印加してＶＣＯ５に変調をかける。
【００２３】
ＶＣＸＯ４の発振出力とＶＣＯ５の発振出力は位相比較器６に供給して位相比較し、位相比較出力はチャージポンプ７を介してループフィルタ８に供給してフィルとし、周波数制御電圧としてＶＣＯ５に印加する。ＶＣＸＯ４、ＶＣＯ５、位相比較器６、チャージポンプ７、ループフィルタ８はＰＬＬループによるＦＭ変調回路を構成している。
【００２４】
制御回路１には、Ｅ２ＰＲＯＭからなる記憶回路１１を備えており、記憶回路１１には、ＰＬＬループのカットオフ周波数の相違、ＰＬＬループの動作周波数によって変化する変調入力インピーダンスによるＶＣＯ５の変調感度の変化、ＶＣＸＯ４の変調感度に基いて求めた、端子３１と端子３２から出力するアナログ変換信号部の矩形波形情報およびレベル情報が、ＦＭ変調回路に対応して予め格納されている。
【００２５】
したがって、本発明の実施の一形態にかかるＦＭ変調回路によれば、ＰＬＬループのカットオフ周波数の相違、ＰＬＬループの動作周波数によって変化する変調入力インピーダンスによるＶＣＯ５の変調感度の変化、ＶＣＸＯ４の変調感度に基づいて記憶回路１１に格納されている情報が参照されて、ＰＬＬループのカットオフ周波数の相違、ＰＬＬループの動作周波数によって変化する変調入力インピーダンスによるＶＣＯ４の変調感度の変化、ＶＣＸＯ４の変調感度に基づく矩形波形およびレベルのアナログ変換信号が端子３１および端子３２から送出される。
【００２６】
端子３１から送出されたアナログ変換信号と端子３２から出力されたアナログ変換信号はレベルのみが異なり位相も波形も同一の矩形波であり、端子３１から出力されたアナログ変換信号は波形整形フィルタ２１にて波形整形され、波形整形されたアナログ変換信号によってＶＣＸＯ４が変調され、端子３２から出力されたアナログ変換信号は波形整形フィルタ２２にて波形整形され、波形整形されたアナログ変換信号によってＶＣＯ５が変調されて、ＰＬＬループによってＦＭ変調（ＦＳＫ変調）される。動作周波数が広帯域であっても同様に、ＦＭ変調することができる。
【００２７】
次に、端子３１および端子３２から出力される変調波のための、記憶回路１１の記憶情報の設定について説明する。ＦＭ変調出力、すなわち、ＶＣＯ５の発振出力を直線検波器などで復調した出力波形を観測し、端子３１から出力するアナログ変換信号のレベルまたは端子３２から出力するアナログ変換信号のレベルの何れか一方を固定とし、可変とされた側のアナログ変換信号のレベルを、変調波の矩形波形と同一の波形の復調出力が得られるように復調波形を観測しながら求めて、アナログ変換信号レベルに基づく情報を動作周波数毎に対応して記憶回路１１に記憶させる。
【００２８】
また、端子３１および端子３２から出力される両アナログ変換信号のレベルを同一の割合で変化させることによって、変調度の設定をすることもできる。さらにまた、動作周波数毎に記憶させるアナログ変換信号のレベルに基づく情報は、変調周波数範囲内において複数点求めて記憶しておき、その間の変調周波数のときは内挿補間、外挿補間等、直線補間により、演算して求めることもできる。同様に、隣り合う動作周波数の間の動作周波数の場合も、同様に補間により演算して求めることができる。
【００２９】
また、本発明の実施の一形態にかかるＦＭ変調回路において、ＦＭ変調はＭＳＫ変調であっても同様である。
【００３０】
また、本発明の実施の一形態にかかるＦＭ変調回路は、直流成分や、ＰＬＬループの応答周波数以下の周波数成分を含む変調信号の場合に有効でる。
【００３１】
上記したように、本発明の実施の一形態にかかるＦＭ変調回路によれば、電子ボリュームが不要となり、電子ボリュームによってレベルを調整するたための制御データを求めることに代わって、アナログ変換信号のレベルの設定情報を得ることは容易に行える。
【００３２】
【発明の効果】
以上説明したように本発明にかかるＦＭ変調回路によれば、従来必要とした電子ボリュームが不要となるという効果が得られる。
【図面の簡単な説明】
【図１】本発明の実施の一形態にかかるＦＭ変調回路の構成を示すブロック図である。
【図２】従来のＦＭ変調回路の構成を示すブロック図である。
【図３】ＦＭ変調のための波形を説明する説明図である。
【符号の説明】
１  制御回路
４  ＶＣＸＯ
５  ＶＣＯ
６  位相比較器
７  チャージポンプ
８  ループフィルタ
１１  記憶回路
２１および２２  波形整形フィルタ
３１および３２  端子
【図１】
0003599271.tif 000002
【図２】
0003599271.tif 000003
【図３】
0003599271.tif 000004